(57)【特許請求の範囲】
【請求項１】
肌面に回転体を当接して回転させると共に、高周波電流を印加して美容を行う美容ローラーにおいて、
端部近傍に少なくとも２つの回転体の回転軸を軸支する軸支部を備えると共に、長手方向の外周を把持可能に形成した略棒状の本体部と、
該本体部の長手方向から所定の開き角度の異なる方向に突設される該回転体の２つの回転軸と、
該各回転軸により回動自在であって、肌面と当接する少なくとも一部位に高周波電流を印加する電極部を有する少なくとも２つの回転体と、
該電極部と通電し、高周波電流を発生する該本体部内に備えられる高周波発生手段と、
該軸支部に、該本体部から該回転軸に対して該高周波電流を通電する導通手段と
を備える構成において、
該電極部が、該回転体の回動方向に沿った外周にリング状で形成される
ことを特徴とする美容ローラー。
【請求項２】
前記美容ローラーにおいて、
前記回転体の表面には、回転軸の方向と平行に襞状の凹凸面が形成される
請求項１に記載の美容ローラー。
【請求項３】
前記高周波電流の周波数が、
０．５ＭＨｚ〜５．０ＭＨｚである
請求項１又は２に記載の美容ローラー。
【請求項４】
前記高周波電流の出力が、
５Ｗ〜３５Ｗである
請求項１ないし３のいずれかに記載の美容ローラー。
【請求項５】
前記美容ローラーにおいて、
前記回転体の回転を検知する回転検知手段を備え、
検知結果に応じて前記高周波電流の通電の入切を制御する
請求項１ないし４のいずれかに記載の美容ローラー。
【発明の詳細な説明】
【技術分野】
【０００１】
本発明は、肌面上で転動させて美容を行う美容ローラーに係り、特に高周波電流を印加して美容を行う技術に関するものである。
【背景技術】
【０００２】
従来から様々な美容ローラーが知られている。使用者は美容ローラー本体を手で持ちながら回転自在なローラー部を肌面に当接させ、顔や腕、足などに対して美容を行う。例えば、特許文献１に開示される美容用ローラーでは、使用者が把持するハンドル部が二股に分かれ、各端部に顔や体に接触させるローラー部が付設されている。ローラー部は細長の球形で、表面が三角格子状になっている。ローラー部は断面が楕円形の球体であり、その断面の中心を通る位置に回転軸が設けられている。
【０００３】
特許文献２に開示される美容器は、ハンドルと、そのハンドルに回転可能に支持されたローラとを備えている。ハンドルの外周面及びローラの外周面には導電部を設けるとともに、それらの導電部の間を電気絶縁する。ローラの内部にローラの回転にともなって発電を行う発電部としての永久磁石と、発電された電力をローラの導電部間に供給する供給部とを設ける。特許文献３に開示される美容器も同様の形状である。
【０００４】
また、従来から、顔や手足などの皮膚に対して高周波電流を通電することにより、肌の老化防止やニキビの治癒、シミ・そばかすその他の皮膚のトラブルの改善を図ることが可能な高周波美容処理装置が知られている（例えば、特許文献４参照）。
特に、本件出願人は特許文献５において、高周波美容処理装置の作用や効果を即座に体感することが可能な高周波美容処理装置を開示している。本装置では、装置の筐体に一部を露出させて備えた、被施術者の筋肉に高周波電流による電気的刺激を与えるための対をなす回転電極と、筐体の処理面の回転電極間に配置されたヒータと、ヒータ及び前記電極へ給電する電源装置等を備えている。
【先行技術文献】
【特許文献】
【０００５】
【特許文献１】意匠登録第１４２７４６７号
【特許文献２】特開２０１１−１５８７４号
【特許文献３】意匠登録第１３８７９７１号
【特許文献４】国際公開第２０１１／１６２１７４号
【特許文献５】特開２０１４−１１３２７２号
【発明の概要】
【発明が解決しようとする課題】
【０００６】
従来の美容ローラーにおいて肌面上で回転体を転動させると共に、回転体から高周波電流を印加して刺激を与える構成は提供されていない。そして、回転体が回転しながら当接する刺激と共に高周波電流を印加するのはどのような刺激が最適であるか、未知であった。
【０００７】
本発明は上記従来技術の有する問題に鑑みて創出されたものであり、肌面上で転動させて美容を行う美容ローラーにおいて、最適な高周波電流を印加することのできる美容ローラーを提供することを目的とする。
【課題を解決するための手段】
【０００８】
上記課題を解決するため、本発明は次のような美容ローラーを提供する。
すなわち、肌面に回転体を当接して回転させると共に、高周波電流を印加して美容を行う美容ローラーにおいて、端部近傍に少なくとも２つの回転体の回転軸を軸支する軸支部を備えると共に、長手方向の外周を把持可能に形成した略棒状の本体部と、本体部の長手方向から所定の開き角度の異なる方向に突設される回転体の２つの回転軸と、各回転軸により回動自在であって、肌面と当接する少なくとも一部位に高周波電流を印加する電極部を有する少なくとも２つの回転体と、電極部と通電し、高周波電流を発生する高周波発生手段とを備える美容ローラーを提供する。
【０００９】
上記の美容ローラーにおいて、上記の高周波発生手段を上記の本体部内に備え、軸支部に、本体部から回転軸に対して高周波電流を通電する導通手段を備える構成を提供することもできる。
【００１０】
上記の高周波電流の周波数を、０．５ＭＨｚ〜５．０ＭＨｚとすることが特に好ましい。
また、上記の高周波電流の出力を、５Ｗ〜３５Ｗとすることが特に好ましい。
【００１１】
上記の美容ローラーにおいて、上記の回転体の回転を検知する回転検知手段を備え、検知結果に応じて上記の高周波電流の通電の入切を制御することもできる。
【発明の効果】
【００１２】
本発明は上記構成により次のような効果を奏する。
すなわち、肌面に回転体を当接して回転させる美容ローラーにおいて、回転体の回転による刺激に加えて、高周波電流の印加による刺激を合わせて良好な使用感を得ることができる。
特に、高周波電流の周波数を、０．５ＭＨｚ〜５．０ＭＨｚの範囲内にしたり、出力を、５Ｗ〜３５Ｗの範囲内にすることにより、最も効果を高めることができる。
【００１３】
本発明のように高周波電流を通電する場合、交流抵抗等を考慮する必要があるが、軸支部に、本体部から回転軸に対して高周波電流を通電する導通手段を本発明のように構成することにより、本体部で発生させた高周波電流を回転体に通電することができる。
【００１４】
さらに、回転体の回転検知手段を備えることにより、例えば回転時だけ高周波電流を通電することができ、肌面の局部的に高周波電流を印加するのを避けることができる。
【図面の簡単な説明】
【００１５】
【図１】本発明に係る美容ローラーの斜視図。
【図２】本発明に係る美容ローラーと充電台の斜視図。
【図３】ローラー体の内部機構を示す断面図。
【図４】ローラー体における軸受部材及び回転軸の構造を示す透過斜視図。
【図５】本発明に係る美容ローラーのブロック図。
【発明を実施するための形態】
【００１６】
以下、本発明の実施形態を、図面に示す実施例を基に説明する。なお、実施形態は下記に限定されるものではない。
図１は本発明に係る美容ローラー（１）の斜視図である。略棒状の本体部（１０）の端部近傍に、回転体である２つのローラー体（２０）（２１）の回転軸を軸支する軸支部（１１）（１２）を備える。使用者は本体部（１０）の外周を把持しながら、ローラー体（２０）（２１）を顔や腕、脚などに当接しながら転動させる。
【００１７】
ローラー体（２０）（２１）は、図示されるように、回転軸の方向と平行に襞状の凹凸面（２００）（２０１）が形成されており、これを肌面上で転動させることにより、金属製の素材の温感、触感と、凹凸面（２００）（２０１）による振動、さらにローラー体（２０）（２１）を当接したときの圧力、さらに本発明にかかる高周波電流の印加によって、美容を行うものである。
【００１８】
ローラー体（２０）（２１）の赤道部分の外周にはリング状の第１リング部（２０２）（２１２）と、一端寄りの外周にはリング状の第２リング部（２０３）（２１３）がそれぞれ設けられている。本発明に係る高周波電流は、これらの第１リング部（２０２）（２１２）又は第２リング部（２０３）（２１３）から肌面に対して印加することができる。
【００１９】
なお、本発明において、回転体の形状は任意であり、本実施例で示すようなローラー体（２０）（２１）には限定されない。例えば、球体、回転軸方向に長径の楕円球又は短径の楕円球、略円柱計、略多角形柱、略円錐形、略多角形錐形、鼓型などでもよく、形状は限定されない。
【００２０】
また、回転体は少なくとも２つ備えればよく、本体部（１０）の一端に２つ以上、例えば４つ備えることもできるし、本体部（１０）の両端にそれぞれ２つずつ備える構成でもよい。また回転体の形状や大きさは同一である必要はなく、１つずつ又は２つずつ異なる形状又は大きさでもよい。
【００２１】
本実施例における美容ローラー（１）は、本体部（１０）の内部に充電池を備え、図２に示す充電台（２）に載置すると、本体部（１０）の充電端子（図示せず）と、充電台（２）の接点（図示せず）が接触して充電池に充電されるように構成している。充電台（２）にはさらに電源アダプター（図示せず）などを接続して給電されるようになっている。
【００２２】
次に図３及び図４を用いてローラー体（２０）（２１）の内部機構を説明する。なお、以下では片側のローラー体（２０）を用いて説明するが、他方のローラー体（２１）も同一である。
ローラー体（２０）の外周面の大部分を構成する外殻は第１外殻部（２０４）、第２外殻部（２０５）、第３外殻部（２０６）から構成され、第１外殻部（２０４）と第２外殻部（２０５）の継ぎ目は第２リング部（２０３）、第２外殻部（２０５）と第３外殻部（２０６）の継ぎ目は第１リング部（２０２）がそれぞれ固着されている。
【００２３】
以上のように形成されたローラー体（２０）の付け根側は本体部（１０）の軸支部（１１）（１２）から突設される回転軸（１１０）が嵌合する孔部（２０６ａ）が形成されている。この孔部（２０６ａ）に図４に示すような軸受部材（１３０）を嵌入する。軸受部材（１３０）は嵌入された後、先端部をネジ（１３１）で第２リング部（２０３）に螺着することによりローラー体（２０）内に固定される。
【００２４】
軸受部材（１３０）の内側は筒状となっており、ここに先端から順に第１ベアリング（１３２）、ベアリング止め（１３３）、スペーサー（１３４）、接点固定部材（１３５）、第２ベアリング（１３６）を順に挿入し、最後に封止ネジ（１３７）により螺着している。これにより、回転軸（１１０）に対してローラー体（２０）は回転自在であり、かつ回転軸から離脱することがない。
【００２５】
本実施例では、ローラー体（２０）（２１）の回転軸を偏心させている。本構成について説述する。図３に示すように、回転軸（１１０）の軸方向（Ｌ１）をローラー体（２０）の中心軸に配置するのではなく、中心軸の軸方向（Ｌ２）と傾斜させている。通常、中心軸と回転軸を一致することで、回転時はローラー体（２０）の外周は一定の位置で回転するようになる。従来の美容ローラーにおいても、中心軸と回転軸は一致しており、肌面にはローラー体の表面の凹凸で刺激を与えるようになっている。
【００２６】
一方、本実施例に係る美容ローラーでは中心軸と回転軸が傾斜しているため、肌面上で転動させると、ローラー体（２０）に捻り運動が生じ、２つのローラー体（２０）（２１）間の間隔が周期的に変化することで肌の摘まみ上げ、引き延ばしの効果が断続的に生じる。本構成は、振動装置や駆動装置などを用いることなく、使用者の転動に伴って自然にローラー体が不規則に振動するので、美容ローラーの取り扱いの容易さ、軽量化にも寄与する。
【００２７】
ローラー体（２０）の外周は上述したように、回転軸と平行な襞状の凹凸面（２００）（２０１）を備えると、ローラー体（２０）が１回転する間に襞の数だけ小刻みな振動を肌面に対して与えると共に、１回転の間に１回の大きな捻りを与えることができる。美容ローラーにおいて肌面に対する刺激は極めて重要な機能であり、一般的な美容ローラーでは実現できなかった特徴的な挙動を示すものである。例えば、大きな捻りは肌を引っ張り上げるような効果を生じさせるため、たるみが気になる部分の肌や筋肉に対するマッサージ効果を高めることができる。
【００２８】
本実施例では回転軸の軸方向と、ローラー体の中心軸が傾斜した構成を示しているが、回転軸の軸方向と垂直な断面における中心位置と、該回転軸の位置が少なくとも一部において偏心して配設することもできる。
例えば、回転軸の軸方向と中心軸とを平行とし、位置を偏心させる構成でもよい。
【００２９】
本発明では、上記のような少なくとも２つの回転体を備える美容ローラーにおいて、回転体に備えた電極部から使用者の肌面に高周波電流を印加することを特徴とする。図５には美容ローラーのブロック図を示す。上述の電源アダプターなどで構成される給電部（５０）から本体部（１０）内部の充電池（５１）に蓄電する。充電池（５１）からの電力供給によって、本体部（１０）内の高周波発生手段である高周波発生回路（５２）から高周波電流を発生させる。
もちろん、本発明において充電池（５１）を用いることは必須ではなく、外部の給電部（５０）から直接高周波発生回路（５２）に電力を供給してもよい。また、本体部（１０）にソーラーパネルを備えて太陽光発電により電力を供給してもよい。
【００３０】
高周波電流は、高周波発生回路（５３）から、軸支部（１１）（１２）を介して回転軸（１１０）に通電する。言うまでもなく、軸支部（１１）（１２）の少なくとも回転軸（１１０）との接触部位や、回転軸（１１０）は導電性部材で形成されている。
そして、軸受部材（１３０）の接点固定部材（１３５）で固定される接点部材（１４０）が回転軸（１１０）の外周面と当接する。接点部材（１４０）は導電性の板バネ状の部材であって、バネの弾性により接触部（１４０ａ）が回転軸（１１０）に対して押圧しており、基端部（１４０ｂ）は軸受部材（１３０）に対して導通している。このため、回転軸（１１０）と相対回転しても、回転軸（１１０）から軸受部材（１３０）に対して通電可能である。
【００３１】
軸受部材（１３０）はさらにネジ（１３１）で固定された第２リング部（２０３）と導通しているので、第２リング部（２０３）から高周波電流を印加することが可能である。高周波電流は一方のローラー体（２０３）と、肌面を通って他方のローラー体の第２リング部（２１３）との間で通電するので、この電極間の皮膚に作用することができる。
【００３２】
本発明の導通手段について、高周波電流におけるリアクタンスを考慮すると上記のような接点部材（１４０）の構成が最適であるが、導電性ベアリングや、ブラシ状接点を用いてもよい。
また、高周波発生回路（５２）をローラー体内部に備えて、本体部（１０）からローラー体（２０）に電力を供給する構成でもよい。
【００３３】
本発明に係る電極部は、第２リング部（２０３）に限らず、第１リング部（２０２）でもよいし、ローラー体（２０）の外周面全体としてもよい。また、ローラー体（２０）（２１）間で通電する構成に限らず、第１リング部（２０２）と第２リング部（２０３）との間で通電する構成でもよい。その他、電極部の配置場所、通電区間は任意である。
【００３４】
（別実施例）
本発明の美容ローラーにおいて、通電制御部（５３）と回転検知部（５４）をさらに備えることもできる。本実施例ではローラー体（２０）に回転検知部（５４）を設けると共に、本体部（１０）に通電制御部（５３）を設けている。
回転検知部（５４）は、ローラー体（２０）の軸受部材（１３０）と回転軸（１１０）との相対的な回転運動を検知する周知の回転センサーで構成される。検知の方法は、回転軸に微小な発電機を付設してその発電電流によって検知を行う方法の他、公知の電磁式、磁石式、光センサー、ジャイロなど任意の方法を用いることができる。
【００３５】
回転検知部（５４）が回転を検知すると、その検知結果に応じて通電制御部（５３）が高周波電流の通電の入切を制御する。高周波発生回路からの出力の入切を制御してもよいし、高周波発生回路への給電自体を入切してもよい。
通電制御部（５３）をローラー体（２０）内部に備えて、回転検知部（５４）が回転を検知したときだけ、電極部（１４０）からの出力を制御してもよい。
本体部（１０）又はローラー体（２０）に発光手段を備えて、高周波電流の通電時だけ発光するように構成してもよい。
【００３６】
以上のように回転検知部（５４）を用いることにより、ローラー体（２０）（２１）が回転したときだけ高周波電流を通電することができる。高周波電流を肌面に印加すると、通電部位が加温されることが知られており、過度に連続した通電は不快感につながる場合がある。そこで、本発明では、使用者がローラー体（２０）（２１）を回転させて使っているときだけ通電することで、使用性の向上に寄与する。
本構成は、ローラー体が回転する時には肌面の接触部位も変化していることから、局地的な通電を避ける点でも特に効果を有する。
【００３７】
回転検知手段に替えて、本体部（１０）の振動を検知し、振動を検知したときだけ高周波電流を印加するようにしてもよい。振動検知については、周知の振動センサーを用いることができる。この場合も、使用に伴う振動を検知して通電するので、停止時に連続的に通電するのを避けることができる。
【００３８】
本発明において、美容ローラーから印加する高周波電流について良好な周波数及び出力を実験によって得た。実験例を次に示す。
（実験例１）
上記実施例に示す美容ローラーを用い、従来一般的に用いられている周波数が１．０ＭＨｚの高周波電流を、次の各出力で印加した。１０人の被験者が、出力２Ｗから４０Ｗでそれぞれ官能評価をし、不適当（０点）、適当（１点）、最適（２点）の採点を行った。平均点が０点〜１点未満を△、１点〜１．５点未満を○、１．５点〜２点未満を◎として集計した結果が次の表である。
【００３９】
【表１】
0006680541.tif 000002
【００４０】
以上の実験によると、出力２Ｗの場合には効果が十分でなく、出力４０Ｗの時には刺激が強すぎるという評価が得られた。そこで、本発明の美容ローラーにおいて印加する高周波電流の出力は１０Ｗ〜１５Ｗが最適であり、５Ｗ〜３５Ｗの範囲内が良好な出力の範囲であることが分かった。
従って、本発明において高周波電流の出力を５Ｗ〜３５Ｗの範囲内とすることが好ましい。
【００４１】
（実験例２）
続いて上記実施例に示す美容ローラーを用い、実験例１で最適と判断された出力１０Ｗの高周波電流を、次の各周波数で印加した。１０人の被験者が、周波数０．１ＭＨｚから１０．０MHzでそれぞれ官能評価をし、不適当（０点）、適当（１点）、最適（２点）の採点を行った。平均点が０点〜１点未満を△、１点〜１．５点未満を○、１．５点〜２点未満を◎として集計した結果が次の表である。
【００４２】
【表２】
0006680541.tif 000003
【００４３】
以上の実験によると、周波数０．１ＭＨｚの場合には効果が十分でなく、同じく周波数１０．０ＭＨｚの時にも効果が十分でないという評価が得られた。そこで、本発明の美容ローラーにおいて印加する高周波電流の周波数は０．５ＭＨｚ〜３．０ＭＨｚが最適であり、０．５ＭＨｚ〜５．０ＭＨｚの範囲内が良好な周波数の範囲であることが分かった。
従って、本発明において高周波電流の周波数を０．５ＭＨｚ〜５．０ＭＨｚの範囲内とすることが好ましい。
【符号の説明】
【００４４】
１    美容ローラー
１０  本体部
１１  軸支部
１１０  回転軸
２０２  第１リング部
２０３  第２リング部
１２  軸支部
１２０  回転軸
２１２  第１リング部
２１３  第２リング部
２０  ローラー体
２１  ローラー体
【図１】
0006680541.tif 000004
【図２】
0006680541.tif 000005
【図３】
0006680541.tif 000006
【図４】
0006680541.tif 000007
【図５】
0006680541.tif 000008